(57)【要約】ブラジャーは、乳房のための２つのカップを含み、カップのうちの少なくとも１つは、着脱可能に固定可能である。ブラジャーはまた、カップのうちの１つを完全にまたは少なくとも部分的にその人のその通常位置に保つ一方で他方のカップが固定されない少なくとも１つの維持および／または支持バンドを含む。いくつかの側面では、維持および／または支持バンドはまた、着脱可能に固定可能であり、かつ／または、カップのうちの１つの少なくとも一部を形成する。ブラジャーは、カップのうちの少なくとも１つにおいて、心電図導線のための少なくとも１つの窓をさらに含み得る。ブラジャーはまた、１つまたは複数のストラップアジャスタと、心臓側におけるカップのうちの少なくとも１つにおいて超音波検査センサまたは他のセンサもしくは撮像デバイスのアクセスのための少なくとも１つの窓と、検査導線のための１つまたは複数の留め具とを含み得る。
2018514663.tif 000002
【特許請求の範囲】
【請求項１】
装着者の第１の乳房の少なくとも一部を被覆するように構成される第１のカップと、
前記装着者の第２の乳房の少なくとも一部を被覆するように構成される第２のカップであって、前記第２のカップは、前記第１のカップに取り外し可能に固定可能である、第２のカップと、
前記第２のカップが前記第１のカップに取り付けられると、前記第２のカップ下に配置され、前記第２のカップによって隠される維持バンドであって、前記維持バンドは、前記第２のカップが前記第１のカップから取り外されると、前記第２の乳房の少なくとも一部を被覆し、前記維持バンドは、前記第２のカップが前記第１のカップから取り外されると前記第１のカップを定位置に維持するように前記第１のカップに固定される第１の端部と、前記第２のカップの外側部分に取り付けられる第２の端部とを有する、維持バンドと
を備えるブラジャー。
【請求項２】
前記第１のカップおよび前記第２のカップのうちの少なくとも１つにおいて少なくとも１つの窓をさらに備え、前記少なくとも１つの窓は、前記少なくとも１つの窓を通した少なくとも１つの心電図検査導線の通過を可能にするように構成される、請求項１に記載のブラジャー。
【請求項３】
前記維持バンドもまた、前記第１のカップに取り外し可能に固定される、請求項１に記載のブラジャー。
【請求項４】
前記第１のカップおよび前記第２のカップならびに前記維持バンドに結合される背面構造をさらに備え、前記背面構造は、前記装着者の背中の周囲に巻き付くことにより、前記ブラジャーを定位置に保持するように構成される、請求項１に記載のブラジャー。
【請求項５】
前記第１のカップおよび前記背面構造に取り付けられる第１の肩用ストラップと、
前記第２のカップおよび前記背面構造に取り付けられる第２の肩用ストラップと
をさらに備える、請求項４に記載のブラジャー。
【請求項６】
前記ブラジャーは、可撓性を有する支持材料を含む、請求項１に記載のブラジャー。
【請求項７】
第１の肩用ストラップに結合される第１のストラップアジャスタと、
第２の肩用ストラップに結合される第２のストラップアジャスタと
をさらに備える、請求項６に記載のブラジャー。
【請求項８】
前記第１のカップおよび前記第２のカップのうちの少なくとも１つにおいて少なくとも１つの窓をさらに備え、前記少なくとも１つの窓は、前記第１の乳房と前記第２の乳房との間の前記装着者の胸部の中心部分により接近して配置され、前記少なくとも１つの窓は、前記少なくとも１つの窓を通した超音波検査センサまたは他のセンサもしくは撮像デバイスの通過を可能にするように構成される、請求項１に記載のブラジャー。
【請求項９】
検査導線のための１つまたは複数の留め具をさらに備える、請求項１に記載のブラジャー。
【発明の詳細な説明】
【技術分野】
【０００１】
（背景）
本開示は、概して、負荷検査（例えば、負荷心エコー検査）中の女性による使用に特に適したブラジャーに関する。
【発明の概要】
【課題を解決するための手段】
【０００２】
（概要）
本主題技術の側面は、負荷心エコー検査中の使用に特に適したブラジャーを含む。ブラジャーは、乳房のための２つのカップを含み、カップのうちの少なくとも１つは、着脱可能に固定可能である。ブラジャーはまた、カップのうちの１つを完全にまたは少なくとも部分的にその人のその通常位置に保つ一方で他方のカップが固定されない少なくとも１つの維持および／または支持バンドを含む。いくつかの側面では、維持および／または支持バンドはまた、着脱可能に固定可能であり、かつ／または、カップのうちの１つの少なくとも一部を形成する。ブラジャーは、カップのうちの少なくとも１つにおいて、心電図導線のための少なくとも１つの窓をさらに含み得る。ブラジャーはまた、１つまたは複数のストラップアジャスタと、心臓側におけるカップのうちの少なくとも１つにおいて超音波検査センサまたは他のセンサもしくは撮像デバイスのアクセスのための少なくとも１つの窓とを含み得る。加えて、検査導線のための１つまたは複数の留め具が含まれ得る。カップのうちの少なくとも１つ、ならびに／もしくは、維持および／または支持バンドは、好ましくは、Ｓｐａｎｄｅｘなどの可撓性を有する支持材料から作製される。
【０００３】
この概要は、本発明の本質がすぐに理解され得るように提供されている。この概要に記載のものからの追加の特徴および／または異なる特徴が含まれてもよい。本発明のより完全な理解は、添付の図面と併せて、以下の説明を参照することによって得られ得る。
【図面の簡単な説明】
【０００４】
【図１】図１は、本主題技術の側面に従ったブラジャーの実施例を図示する。
【０００５】
【図２】図２は、図１に示されるブラジャーの変形例の実施例を図示する。
【０００６】
【図３】図３は、閉鎖構成における図１および図２に示されるブラジャーの実施例を図示する。
【０００７】
【図４】図４は、図１に示されるブラジャーの変形例の別の実施例を図示する。
【０００８】
【図５】図５は、閉鎖構成における図４に示されるブラジャーの実施例を図示する。
【０００９】
【図６】図６は、図４に示されるブラジャーの変形例の実施例を図示する。
【００１０】
【図７】図７は、閉鎖構成における図６に示されるブラジャーの実施例を図示する。
【００１１】
【図８】図８は、本主題技術の側面に従った、可能性のある追加の特徴を図示する。
【発明を実施するための形態】
【００１２】
（詳細な説明）
簡潔に言うと、本主題技術の側面に従った技法は、負荷心エコー検査中の使用に特に適したブラジャーを含む。これらの種類の検査ならびに他の負荷検査は、心疾患（すなわち、心血管疾患）を診断するための不可欠なツールである。
【００１３】
心疾患は、世界中の（特に、米国における）女性の間での最も一般的な死因のうちの１つであり、米国では、その疾患は、約４人に１人の女性を苦しめている。男性の間での心疾患死亡率は、過去２５年にわって着実に減少しつつあるが、女性の間での率は、非常にゆっくりと低下している。
【００１４】
心疾患が「男性の疾患」であるという通説は、覆されている。心血管疾患（「ＣＶＤ」）が米国女性の間での主要死亡原因であることの社会の認識率は、１９９７年の３０％から２００９年の５４％に増加している。診断および治療の発展にもかかわらず、考慮すべき課題が残っている。
【００１５】
２００７年、ＣＶＤは、米国の女性の間では、１分あたり１人（すなわち、その年は、４００，０００超）の死亡を依然として引き起こした。より多くの女性が、癌、慢性下気道疾患、アルツハイマー病、および複合的事故よりもＣＶＤによって死亡している。過去数十年の傾向を振り返ると、３５〜５４歳の米国女性におけるＣＶＤ死亡率は、現在、実際には、増加しつつあると見られ、これは、肥満の蔓延の影響のせいである可能性が高い。
【００１６】
状況は、黒人女性およびヒスパニック系女性において、白人女性と比較して悪化している。非常に不吉な傾向は、前者の人口における平均体重の継続的増加であり、２０歳を超えたそれらの女性の約３人中２人が、現在、太り過ぎまたは肥満である。
【００１７】
肥満の上昇は、現在１，２００万人の米国女性に認められている２型糖尿病の急激な蔓延の主な誘因である。糖尿病の有病率増加は、多くの理由（特に、著しく増加した心筋梗塞（ＭＩ）、ＣＶＤ、および脳卒中の全体的リスクとの関連付け）から懸念されている。
【００１８】
女性におけるこれらの疾患の課題は、米国に限定されない。最近のデータでは、世界規模の問題であることが立証されている。心疾患（ＣＶＤ）は、全ての主要先進国および新興経済大国における女性の主要死亡原因である。
【００１９】
これらの病気を診断するため、従って治療につなげるための最も効果的ツールのうちの１つは、負荷心エコー検査である。典型的な負荷検査は、その人の心拍数を最大心拍数の８５％にまで増加させるために、しばらくランニングマシン上で走らせることを伴う。
測定は、その人が走る前に、例えば、ＥＫＧ（心電図）導線を介して行われる。その人がその最大心拍数の８５％に到達後、典型的には、さらなる検査が実行される。これらの検査は、好ましくは、正確な査定のために、例えば、その人を診察台の上に移動させることによって、数秒以内に行われ、技術者は、特定の場所において心臓超音波変換器を用いて、その人の拍動している心臓にアクセスすることが可能である。その人の左乳房へのアクセスが、正確な結果のために好ましい。
【００２０】
一部の稀な個人が、鏡像物理構造を示す。本主題技術は、負荷心エコー検査をそのような個人に提供するように、使用のために反転されてもよい。
【００２１】
負荷心エコー検査に関する１つの問題は、人々が、通常、その上半身に任意の支持衣服および／または保護衣服を伴うことなく、急傾斜のランニングマシン上で走るように要求されることである。この要求の主な理由は、そのような従来の衣服が診断器具（例えば、ＥＫＧセンサならびに導線および／または超音波検査センサ）の適用に干渉し得ることである。この要件は、肉体的および精神的の両方において女性にとって不快であり得、負荷検査を受けることの躊躇をもたらし得る。加えて、女性は、その乳房のための支持衣服および／または保護衣服の欠如に起因して、検査中、最大限の努力を発揮し得ない。
【００２２】
肉体的には、女性が任意の衣類（例えば、ブラジャー）をその上半身に伴うことなくランニングマシン上を走るとき、その乳房は、不快な態様で移動し得る。これは、肉体的な無理強い（すなわち、痛み）を生じさせ得る。精神的にも、女性は、他者が存在する中で、その上半身上に衣服を伴うことなくランニングマシン上を走ること、ましてや、最大限の努力で走ることは、不快であり得る。これらの肉体的および精神的な検討事項は、女性が負荷検査を受けることから遠ざけ得る。さらに、負荷検査を受けることを女性が選択する場合でさえ、その肉体的および精神的な不快感は、実際には、負荷検査結果に影響を及ぼし得、検査の診断有効性を低下させ得る。男性（特に、太り過ぎの男性）もまた、これらの懸念にさらされ得る。
【００２３】
本主題技術の側面は、乳房のための２つのカップを含むブラジャーであって、カップのうちの少なくとも１つが着脱可能に固定されるブラジャーを介して、前述の問題に対処する。ブラジャーはまた、カップのうちの１つ（例えば、右カップ）を少なくとも部分的にその人の適切な解剖学的位置に保つ一方で他方のカップが固定されない少なくとも１つの支持および／または保護維持バンドを含む。いくつかの側面では、維持バンドもまた、着脱可能に固定され、かつ／または、カップのうちの１つの少なくとも一部を形成する。ブラジャーは、カップのうちの少なくとも１つにおいて、心電図検査導線のためおよび／または他の診断器具によるアクセスのための少なくとも１つの窓をさらに含んでもよい。少なくとも維持バンドは、好ましくは、Ｓｐａｎｄｅｘ等の可撓性支持材料から作製される。好ましい支持および／または保護維持バンドはまた、バンドが負荷検査前、負荷検査間、または負荷検査後の心電図電極および／または心臓超音波設置に干渉しないように、構築されるべきである。
【００２４】
より詳細には、図１は、本主題技術の側面に従ったブラジャーの実施例を図示する。ブラジャー１００は、カップ１１０と、カップ１２０とを含む。カップのうちの少なくとも１つ（ここでは、左カップ１２０）は、例えば、面ファスナ１３０および面ファスナ１４０を介して、着脱可能に固定される。他のタイプの締結具（例えば、ボタン、ひもなど）もまた、使用されてもよい。維持バンド１５０は、着脱可能に固定されたカップが固定されないとき、他方のカップを少なくとも部分的に定位置に保つ。好ましい側面では、バンドはまた、女性の乳房の少なくとも一部の被覆を提供し、望ましくは、潜在的な精神的不快感を低減させる。
【００２５】
使用時、ブラジャーは、カップのうちの１つが固定されていない状態で装着されてもよい。ＥＫＧ導線が、適用されてもよく、次いで、カップは、固定されてもよい。従って、ブラジャーは、負荷検査を受けている女性のための支持および若干の衣服を依然として提供する一方で、ＥＫＧ導線を適切に固定するための機構を提供し得る。対照的に、標準的なブラジャーは、電極、心臓超音波器具などの設置に干渉し得る。
【００２６】
図２は、図１に示されるブラジャーの変形例の実施例を図示する。図２におけるブラジャー２００は、維持バンド２５０もまた、例えば、また、面ファスナまたは他のタイプの締結具を介して、着脱可能に固定されるという特徴を含む。この変形例もまた、好ましくは、いかなる混乱または干渉も伴うことなく、もしくは少なくとも最小限にのみ伴って、負荷検査中のＥＫＧ導線および／または超音波検査デバイスもしくは他の器具の展開を容易にし得る。
【００２７】
図３は、閉鎖構成における図１および図２に示されるブラジャーの実施例を図示する。
【００２８】
図４は、図１に示されるブラジャーの変形例の別の実施例を図示する。図４における例示的ブラジャー４００は、維持バンドがカップ４１０によって少なくとも部分的に形成されることを除いて、図１におけるブラジャー１００と同じである。そのカップは、底縁部４３０を有する窓４２０を含む。この窓は、検査の有効性および正確度に影響を及ぼし得るいかなる混乱も伴うことなく、ＥＫＧ電極、導線、ならびにワイヤ、超音波器具、超音波検査デバイス、および／または他の診断器具の展開を容易にし得る。窓はまた、好ましくは、外側縁部上でより高く、それにより、そのような診断器具および／またはデバイスのためのより優れたアクセスを提供する。
【００２９】
図５は、閉鎖構成における図４に示されるブラジャーの実施例を図示する。図５におけるブラジャー５００は、図４における底縁部４３０に対応する底縁部５３０を有する、図４における窓４２０に対応する窓５２０を図示する。
【００３０】
図４および図５では、窓４２０および／または窓５２０は、好ましくは、外側で上向きに湾曲し、それにより、負荷検査中、ＥＫＧ導線および／または超音波検査デバイスもしくは他の器具の展開を容易にする。いくつかの側面では、窓は、いったん標的心拍数が達成されると、導線および関連付けられたワイヤのためならびに超音波検査のための通路を提供する。
【００３１】
図６は、図４に示されるブラジャーの変形例の実施例を図示する。図６に示される実施例６００では、切り欠きまたは部分的窓６２０が、底縁部上に開放されている（例えば、図４および図５にそれぞれ示される縁４３０および縁５３０などの底縁部を含まない）。底縁部は、この実施例では省略され、それにより、偽陽性結果等のアーチファクトを生じさせ得る、ＥＫＧセンサおよび／または導線上でのブラジャーの擦れを回避することに役立つ。切り欠き６２０の背面側もまた、固定されないブラジャーの部分がないように、ブラジャーの残りに合わせられてもよい。図７は、閉鎖構成における図６に示されるブラジャーの実施例を図示する。
【００３２】
図８は、本主題技術の側面に従った、可能性のある追加の特徴を図示する。１つまたは複数のストラップアジャスタ８１０が、ブラジャーの適切なフィッティングに役立てるために含まれてもよい。カップのうちの１つまたは複数のものの「心臓側」（すなわち、閉鎖位置にあるとき、ブラジャーの中心の近く）における１つまたは複数の窓８２０もまた、超音波検査センサまたは他のセンサもしくは撮像デバイスのアクセスを容易にするために含まれてもよい。加えて、検査（例えば、ＥＫＧ電極）導線を保持するための１つまたは複数の留め具８３０も、含まれてもよい。留め具（単数または複数）は、好ましくは過度の摩耗または干渉を伴うことなく導線を定位置に固定する、面ファスナループまたは任意の他のタイプの留め具（単数または複数）であってもよい。
【００３３】
これらの図の全てに示されるように、ブラジャーのバージョンは、２つの肩用ストラップを含む背面構造を含み得、それにより、例えば、より優れた支持および快適性を提供する。ブラジャーの任意の他の設計も、本主題技術の側面に適応されてもよい。
【００３４】
好ましい側面では、ブラジャーの一部または全部は、適した可撓性を有する支持材料から作製される。例は、エラスタン（例えば、ＳｐａｎｄｅｘまたはＬｙｃｒａ）を含むが、これに限定されない。
【００３５】
本発明は、本明細書に開示される任意の特定の実施形態および実施例の詳細にいかようにも限定されない。例えば、用語「側面」、「実施例」、「好ましくは」などは、本発明のいくつかの実施形態において含むことが好ましくあり得るが不可欠ではない特徴を示す。加えて、本発明の任意の一側面に関して図示または開示される詳細は、本発明の他の側面と併用されてもよい。本発明の範囲から逸脱することなく、追加の要素が、本発明の種々の側面に追加されてもよく、および／または、いくつかの開示される要素が、本発明の種々の側面から取り去られてもよい。単数形要素は、複数要素を含み、その逆もまた然りである。本発明の内容、範囲、および精神内ある多くの他の変形例が、可能性があり、これらの変形例は、本願の熟読後、当業者に明白となる。
【図１】
2018514663.tif 000003
【図２】
2018514663.tif 000004
【図３】
2018514663.tif 000005
【図４】
2018514663.tif 000006
【図５】
2018514663.tif 000007
【図６】
2018514663.tif 000008
【図７】
2018514663.tif 000009
【図８】
2018514663.tif 000010
【国際調査報告】
2018514663.tif 000011